(57)【特許請求の範囲】
【請求項１】
管体と、この管体内の背部側に保持手段によって保持されている放熱体と、この放熱体に支持されていると共に光源であるＬＥＤを複数配置してある基板と、上記管体の両端に取り付けてある口金と、各口金内に取り付けてある支持体と、上記基板の両端部を支持する支持手段とを備えており、
上記基板は、上記放熱体に形成している支持溝内に挿入支持されており、
上記ＬＥＤは、上記管体の上記背部側とは反対側である照射側に向けて照射可能であり、
上記放熱体の両端部は上記管体の両端面から突出されており、
上記各口金の内底部側に上記管体の端部が当接可能である段部を設けてあり、
上記各口金の内周面と上記支持体との間に上記放熱体の端部が挿入可能なスペースを開けてあり、
上記支持手段は、上記基板の両端部に設けてある被掛け止め部と、上記各支持体に設けてあって上記スペース内で上記被掛け止め部に掛け止めてある掛け止め部とからなる
ことを特徴とする発光ダイオードランプ。
【請求項２】
被掛け止め部は基板に開けてある被掛け止め孔であり、掛け止め部は舌片状の掛け止め体であることを特徴とする請求項１記載の発光ダイオードランプ。
【請求項３】
掛け止め体は支持体から突出してある案内板に設けてあり、上記案内板は放熱体の移動を案内可能なものであることを特徴とする請求項２記載の発光ダイオードランプ。
【請求項４】
支持体は上側が水平部となっているキャップからなり、上記水平部には支持体の底部側から開口側に向けて水平に案内板を設けてあることを特徴とする請求項３記載の発光ダイオードランプ。
【請求項５】
掛け止め体は支持体の水平部から突出している案内板に設けてあり、上記案内板は放熱体の移動を案内可能なものであることを特徴とする請求項４記載の発光ダイオードランプ。
【請求項６】
スペースは支持体の水平部と口金の内周面との間に形成されていることを特徴とする請求項４又は請求項５に記載の発光ダイオードランプ。
【請求項７】
掛け止め部は基板の各端部を口金側である外側に引っ張るように被掛け止め部に掛け止められていることを特徴とする請求項１乃至請求項６のいずれかに記載の発光ダイオードランプ。
【請求項８】
放熱体は、管体の背部側の外周面が凸状の円弧面を形成していると共に、上記管体の内周面に密着していることを特徴とする請求項１乃至請求項７のいずれかに記載の発光ダイオードランプ。
【請求項９】
口金の外周面に放熱部を形成してあることを特徴とする請求項１乃至請求項８のいずれかに記載の発光ダイオードランプ。
【請求項１０】
口金の外周面に放熱部を形成してあり、この放熱部は放熱溝で構成されていることを特徴とする請求項１乃至請求項８のいずれかに記載の発光ダイオードランプ。
【請求項１１】
口金には口金用放熱体を取り付けてあることを特徴とする請求項１乃至請求項８のいずれかに記載の発光ダイオードランプ。
【請求項１２】
口金には口金用放熱体を取り付けてあり、口金用放熱体は上記口金に嵌め込み可能である本体と、この本体に設けてある取付け部とからなることを特徴とする請求項１乃至請求項８のいずれかに記載の発光ダイオードランプ。
【発明の詳細な説明】
【技術分野】
【０００１】
この発明は、事務所、一般住宅、店舗、学校、冷凍庫、看板などに用いられる発光ダイオードランプに関するものである。
【背景技術】
【０００２】
最近は、白熱電球による照明灯に代えて弾丸型や表面実装型などのＬＥＤ（発光ダイオード）を組み込んでいる発光ダイオードランプが使用されている例が多い。その理由は、この発光ダイオードランプは白熱照明灯と比較して長寿命であってかつ消費電力が少ないからである。
例えば、特開２００９−５４４０５号公報に記載の発光ダイオードランプ（以下「従来例１」という。）は、当該公報の図５に示すようにランプケースと、このランプケースの内壁に半径方向に対向して設けられた一対の案内溝と、複数のＬＥＤを直線状に配列した基板と、この基板のＬＥＤが配列された反対側の面に取り付けられたアルミ板とを備え、上記アルミ板の幅を、上記基板の幅よりも大きくし、上記アルミ板をランプケースの上記一対の案内溝に挿入し、上記ランプケース内にシリコンを充填するものである。
従来例１は、上記アルミ板を用いることによって、上記ＬＥＤの放熱に伴うランプケース内の温度上昇の抑制を可能とし、またシリコンを充填することにより、上記ＬＥＤの放熱を効率的に行うと共に耐水性及び対候性の向上を図るものである。
また、特開２００９−１５８５３３号公報に記載の光発生装置（以下「従来例２」という。）は、当該公報の図３及び図４に示すように、ほぼ円柱状のアクリル樹脂製光透過部の下側の係合部にその長さ方向にアルミ二ウムで構成されたベース部が係合され、このベース部の内側にチップ型ＬＥＤが複数個実装された回路基板が挿入されている。上記光透過部には、上記ＬＥＤに対応しかつ各ＬＥＤから離れた状態でこれらを被覆する内側光透過部と、この内側光透過部の外側に設けられた外周部とを設けてある。この外周部と上記内側光透過部との間の中空部の端部は断面角丸状に形成されている。
従来例２は上記光透過部を設けることにより光の均一な拡散を実現するものである。
【先行技術文献】
【特許文献】
【０００３】
【特許文献１】特開２００９−５４４０５号公報
【特許文献２】特開２００９−１５８５３３号公報
【発明の概要】
【発明が解決しようとする課題】
【０００４】
従来例１は、放熱手段であるシリコンを充填する作業を伴うために、製造に手間がかかり、また使用過程ではＬＥＤの放熱によって充填されているシリコンからガスが発生してランプケースにひび割れを発生させることがあり、耐久性に課題がある。
従来例２は、回路基板をベース部にねじによって固定する場合には上記回路基板の位置が安定されるが、ねじ込み作業を伴うので組み立てに手間がかかる。
この発明の目的は、製造組み立てを容易にすると共に耐久性の向上を図ることができる発光ダイオードランプを提供することにある。
【課題を解決するための手段】
【０００５】
この発明に係る発光ダイオードランプは、管体と、この管体内の背部側に配置されかつ保持手段によって保持されている放熱体と、この放熱体に支持されていると共に光源であるＬＥＤを複数配置してある基板と、上記管体の両端に取り付けてある口金と、各口金内に取り付けてある支持体と、上記基板の両端部を支持する支持手段とを備えている。上記基板は、上記放熱体に形成している支持溝内に挿入されている。上記ＬＥＤは、上記管体の上記背部側とは反対側である照射側に向けて照射可能である。上記支持手段は、上記基板の両端部に設けてある被掛け止め部と、上記各支持体に設けてあって上記被掛け止め部に掛け止めてある掛け止め部とからなる。
上記支持手段を構成している一方の被掛け止め部は基板に開けてある例えば被掛け止め孔であり、他方の掛け止め部は支持体から突出してある例えば掛け止め体である。上記掛け止め体の形状として、上記被掛け止め孔に所定のばね力を持って掛け止め易くするために舌片状のもの等が使用される。また上記掛け止め体には、上記支持体から突出してある案内板に設けるもの、上記支持体が水平部を有するキャップ状に形成されている場合には上記水平部に設けるもの、又は水平部に形成してある案内板に設けるもの等が含まれる。上記案内板は放熱体の案内手段として機能するものである。
上記保持手段には、管体の内周面から内方に向けて突出しかつ長さ方向に延伸している保持突部と、放熱体に設けてある保持溝とから構成されており、上記保持突部と保持溝とは互いに上記管体の長さ方向に移動可能に係合されているもの、また、上記管体内周面から内方に向けて突出しかつ長さ方向に延伸している対の保持突部であり、両保持突部は互いに対向して配置されており、放熱体は上記両保持突部と上記管体の内周面とによって囲まれた空間内に挿入され、両保持突部によって保持されているもの等が含まれる。
上記放熱体は、管体の背部側の外周面が凸状の円弧面を形成していると共に、上記管体の内周面に密着しているもの等がある。
上記口金の放熱手段として、この口金の外周面に放熱部を形成しているもの、上記放熱部に放熱溝を形成しているもの等が含まれる。また、上記放熱手段として、上記口金に取り付けてある口金用放熱体等であっても良い。口金用放熱体の例として、上記口金に嵌め込み可能である本体と、この本体に設けてある取付け部とからなるものがある。
【発明の効果】
【０００６】
この発明の発光ダイオードランプによれば、管体内の放熱体を保持手段によって保持し、上記放熱体の支持溝を通じてＬＥＤを取り付けている基板を挿入支持すると共に、上記基板の両端を上記支持手段によって掛け止める構成であるから製造組立てが容易となり、またシリコンを使用しないので、従来例と比較して耐久性の向上を図ることができる。
【図面の簡単な説明】
【０００７】
【図１】この発明に係る発光ダイオードランプの第１の実施形態を示す一部切欠正面図である。
【図２】図１のＩＩ−ＩＩ線拡大断面図であって、基板を一部切欠して被掛け止め孔を示している図である。
【図３】図１のＩＩＩ−ＩＩＩ線拡大断面図である。
【図４】この発明に係る発光ダイオードランプに用いる管体から口金を外している状態を示す一部切欠拡大正面図である。
【図５】この発明に係る発光ダイオードランプに用いる管体の保持突部から放熱体及びＬＥＤ付き基板を分離している状態を示す管体の拡大断面図である。
【図６】この発明に係る発光ダイオードランプに用いる管体を示す一部切欠正面図である。
【図７】図６のＶＩＩ−ＶＩＩ線断面図である。
【図８】この発明に係る発光ダイオードランプに用いる放熱体を示す一部切欠正面図であって、この放熱体内にＬＥＤ付き基板を組み込んでいる状態を示す図である。
【図９】図８の放熱体を示す底面図である。
【図１０】図８の放熱体を示す平面図である。
【図１１】この発明に係る発光ダイオードランプに用いる口金及び支持体を示す拡大側面図である。
【図１２】図１１のＸＩＩ−ＸＩＩ線断面図である。
【図１３】図１１のＸＩＩＩ−ＸＩＩＩ線断面図である。
【図１４】この発明に係る発光ダイオードランプに用いる支持体を示す拡大側面図である。
【図１５】この発明に係る発光ダイオードランプに用いる支持体を示す拡大正面図である。
【図１６】この発明に係る発光ダイオードランプの第２の実施形態を示す一部切欠正面図である。
【図１７】図１６のＸＶＩＩ−ＸＶＩＩ線拡大断面図であって、基板を一部切欠して被掛け止め孔を示している図である。
【図１８】図１６のＸＶＩＩＩ−ＸＶＩＩＩ線拡大断面図である。
【図１９】図１６の放熱体を示す一部切欠正面図である。
【図２０】図１９の放熱体を示す底面図である。
【図２１】図１６の発光ダイオードランプに用いる口金及び支持体を示す拡大側面図である。
【図２２】図２１のＸＸＩＩ−ＸＸＩＩ線断面図である。
【図２３】図２１のＸＸＩＩＩ−ＸＸＩＩＩ線断面図である。
【図２４】図１６の支持体を示す拡大正面図である。
【図２５】図１６の口金用放熱体を示す側面図である。
【図２６】図１６の発光ダイオードランプの使用状態を示す正面図である。
【図２７】この発明に係る発光ダイオードランプに用いる管体の他の形態を示す一部切欠正面図である。
【図２８】図２７の管体内に放熱体及びＬＥＤ付き基板を組み込んでいる状態を示す拡大側面図である。
【図２９】図２８のＸＸＩＸ−ＸＸＩＸ線断面図である。
【発明を実施するための形態】
【０００８】
この発明に係る発光ダイオードランプの第１の実施形態について図１〜図１５を参照して説明する。
図１〜図５において、発光ダイオードランプＬ１は、細長い円筒形パイプからなる管体１と、この管体の背部側である底部側（図１上側）の内部に配置し、上記管体に保持手段によって係合保持されている放熱体２と、この放熱体に配置している基板３と、この基板に実装してある光源であるＬＥＤ（発光ダイオード）４と、上記管体の両端部に取り付けてある口金５と、上記基板の両端部側を保持している支持体６を備えている。発光ダイオードランプＬ１のＬＥＤ４は、管体１の背部側とは反対側（図１下側）に向けて光を照射可能である。
【０００９】
まず、管体１について図５〜図７を参照して説明する。
管体１はプラスチック製パイプ又はガラス製パイプからなり、本例では蛍光塗料、拡散材及び変色防止材が配合されている乳白色のプラスチック製パイプが使用されている。
管体１は、背部側（図５上側）の内周面１ａから管体の中心部に向けて突出されている保持突部１ｂを設けてある。保持突部１ｂは管体１の長さ方向に沿って延伸され、かつ管体の全長に亘って設けられているリブ状のものである。保持突部１ｂは、図５に示すように断面逆Ｔ字形に形成され、先端部が両側に張り出されている係止部１ｂ１となっている。
管体１は、例えばパイプ押出し機を用いて押出成形法により加工され、その管体と保持突部１ｂとが一体成形されている。
【００１０】
次に、放熱体２について図３、図５及び図８〜図１０を参照して説明する。
放熱体２は、その本体２ａが放熱部材であるアルミニウム材を用いた棒状体で構成され、ヒートシンクの機能を果たしているものである。
放熱体２（本体２ａ）には、その背部側（図５上側）とは反対側（下側）にその長さ方向に全長に亘って支持溝２ｂを、そして背部側外周部の中央部に第１の溝である保持溝２ｄを、また当該保持溝を挟んで両側に第２の溝である放熱溝２ｅを全長に亘ってそれぞれ形成してある。
図３及び図５に示す支持溝２ｂの開口２ｂ１は下側である照射側（ＬＥＤ４の光の照射方向側）に向けられており、開口の両側縁部に受け部２ｃを設けてある。支持溝２ｂ内には、ＬＥＤ４を実装したＬＥＤ付きの基板３を挿入支持している。
また、放熱体２の背部側（図３上側）の外周面はその外形が凸状の円弧面に形成されており、この円弧面が管体１の内周面１ａに密着されている。上記外周面に形成してある保持溝２ｄは、保持突部１ｂと共に放熱体２の保持手段を構成している。保持溝２ｄの内部形状は断面逆Ｔ字形に形成されており、内底部両側には幅方向（図５左右方向）に張り出している係合部２ｄ１を形成してある。
放熱体２は、例えば押出し機を用いて押出成形法により加工される。
【００１１】
基板３及びＬＥＤ４について図１、図２、図８及び図９を参照して説明する。
ＬＥＤ付きの基板３はその本体が細長い板体からなり、放熱体２の支持溝２ｂ内に嵌め込まれている。基板３には、ＬＥＤ４に電気的に接続している制御部（図示せず。）を設けてある。基板３の一側面（図１下面）には単一又は複数列のＬＥＤ４を直線状に間隔を置いて配置してある。図９に示す例では、基板３には、複数のＬＥＤ４がその長さ方向に沿って等間隔を置いて一直線状に配列されている。そして、基板３の一側片面である表面（図１下面）全面には白色の印刷又は白色シート（図示せず。）を貼付することによって、内部反射光の取り出し効率を上げるようにしている。
また、ＬＥＤ付きの基板３はその長さ方向の両端部（図９の左右両端側）に被掛け止め部である被掛け止め孔３ａを開けてある。
【００１２】
ここで、管体１、放熱体２及び基板３の相互関係について説明する。
まず、管体１と放熱体２との関係について説明する。
放熱体２は管体１より長く形成されており、その両端部は管体の両端面から所定距離突出されている（図４及び図８）。放熱体２は、図１及び図２に示すように、管体１内の背部側で係合保持されている。すなわち、管体１内において、管体の保持突部１ｂが放熱体２の保持溝２ｄ内に嵌め込まれ、図５に示す係止部１ｂ１と係合部２ｄ１とが互いに係合されており、放熱体は管体にその長さ方向に移動可能に保持されている。この保持状態において、放熱体２の上側の外周面は管体１の内周面１ａに密着されているため、放熱体の安定的な保持が保たれている。
次に、放熱体２と基板３との関係について説明する。
図３及び図９に示すように、放熱体２とＬＥＤ付きの基板３とは長さが同じであり、基板が放熱体２の支持溝２ｂ内に収納されている。
なお、各ＬＥＤ４の下部は放熱体２の支持溝２ｂの開口２ｂ１（図３）より下方に露出されているため、光を下方に照射可能である。
【００１３】
図１、図１１及び図１２に示す口金５は管体１の両端側（図１左右両側）に配置してある。口金５は放熱部材であるアルミニウム材を用いて形成されており、その外周面に放熱部５ａを設けてある。放熱部５ａは、図１に示す例によれば、口金５の外周全周に設けてある複数の放熱溝５ａ１によって構成されている。管体１に吸収された熱は、この管体の端部に嵌め込まれている口金５に伝えられ、放熱部５ａの放熱溝５ａ１によって効果的に口金外に放熱される。放熱部５ａの放熱溝５ａ１の溝数は単一又は複数設けられるが、放熱面を拡大して放熱効果を高めるために複数設けるのが良い。
各口金５の内底部側の内周に段部５ｂを設けてある。段部５ｂには口金５内に嵌め込まれる管体１の端部端面が当接しており、この段部が管体のストッパの役割を有している（図１）。
また、各口金５の内部には支持体６を取り付けてあり、その外面には２本の端子ピン７を水平方向に突出してある。各端子ピン７は基板３に接続線（図示せず。）を通じて電気的に接続されている。
【００１４】
支持体６について説明する。
図１〜図３に示すように、管体１の両側の口金５内の各支持体６は、互いに対向的に配置されている。
支持体６は、図１３及び図１４に示すようにその本体の中央部両側にピン孔６ａを開けてある。支持体６は図１１及び図１２に示すように口金５内に嵌め込まれ、ピン孔６ａを貫通している端子ピン７の基部によって口金内面に固定されている。
図１１〜図１４において、支持体６はその側面形状がほぼ半円形であるキャップからなり、上側が水平部６ｃとなっている。水平部６ｃには支持体６の底部側から開口側（図１５上側）に向けて水平に案内板６ｃ１を突出してある。案内板６ｃ１は、図１２及び図１４に示すように支持体６の開口側からさらに左側に延伸されている。
案内板６ｃ１の中央部には、図１２及び図１３に示すように掛け止め部である舌片状の掛け止め体６ｂを形成してある。
掛け止め体６ｂは、図１２及び図１３に示すように案内板６ｃ１から底部側（図右側）に向けて突出されている。掛け止め体６ｂはその基部から先端部に向けて次第に上昇するように傾斜されており、この先端部にフック６ｂ１を設けてある。掛け止め体６ｂは基部を中心として上下に弾性変形できるように、その両側に切込み６ｄを設けてある。
また、図１〜図４に示すように、支持体６の水平部６ｃと口金５の内周面との間には、放熱体２の端部が挿入可能なスペースが開けてある。
【００１５】
基板３と支持体６との関係について説明する。
基板３は、図１及び図２に示すように被掛け止め孔３ａ及び掛け止め体６ｂを通じて管体１の両側に位置している支持体６によって水平状態に支持されている。すなわち、各掛け止め体６ｂの先端のフック６ｂ１は、基板３の両端に配置されている被掛け止め孔３ａに掛け止められている。
両側の掛け止め体６ｂは、その弾性力を利用して基板３の両端部を外側に引っ張るように被掛け止め孔３ａに掛け止められているために、基板の支持がより一層強化されている。
被掛け止め部である被掛け止め孔３ａと掛け止め部である掛け止め体６ｂとは基板３を安定した状態で支持するための支持手段を構成している。
【００１６】
次に、発光ダイオードランプＬ１の組み立てについて説明する。
まず、ＬＥＤ４を取り付けている基板３を放熱体２の支持溝２ｂの一端部から差し入れてから他端部に向けてスライドさせ、支持溝内に組み込む（図８）。
ついで、基板３が組み込まれた放熱体２を管体１内に一端側（例えば図６左端側）から他端側に向けて挿入する。挿入する際、放熱体２の保持溝２ｄの一端部を管体１の保持突部１ｂに対向させ、保持突部の対向端部を保持溝の対向端部に嵌め込んでから、保持突部を案内手段として放熱体２を管体１の一端側（左端側）から他端側（右端側）に向けて押し込んで行き、放熱体の端部が管体１の他端部外に突出された時点で押し込みを停止する（図４）。
その後、図４矢印方向から管体１の図４右端部に口金５を嵌め込む。嵌め込む過程では、管体１の端部及び放熱体２は口金５内に差し入れられて行き、一方の管体の端部は口金の段部５ｂに当接し、他方の放熱体が基板を支持しながら支持体６の案内板６ｃ１によって支持体６の底部に向けて円滑に案内され移動され、基板の端部が掛け止め体６ｂのフック６ｂ１に接触し、さらにこの掛け止め体を下方に押圧しながら移動され、やがて放熱体及び基板の端面が支持体６の底面に接触した時点で、掛け止め体６ｂの押圧力が解除されるから、図１に示すようにフック６ｂ１は基板の被掛け止め孔３ａに掛け止められる。
管体１の他端部側についても、上記と同様の操作をして、口金５を管体の他端部に嵌め込み、嵌め込みの過程では上記他端部から突出されている放熱体２及び基板３の端部は口金内に差し入れ、放熱体２の端部が支持体６の案内板６ｃ１によって支持体の底部側に進入され、基板の被掛け止め孔３ａに支持体６の掛け止め体６ｂが掛け止められる。
この結果、発光ダイオードランプＬ１は図１に示す状態に組み立てられる。
この状態では、放熱体２は、保持溝２ｄと保持突部１ｂとが互いに係合されるので、管体１内に位置保持される。また、ＬＥＤ付き基板３は、放熱体の支持溝２ｂ内に収納され位置保持されると共に、基板の両端部が支持体６の掛け止め体６ｂによって外側に引っ張られながら保持されているので、水平かつ安定的に管体１内に固定される。
【００１７】
上記構成の発光ダイオードランプＬ１において、ＬＥＤ４からの放射光は、その光軸を中心として円錐状（放射状）に広がり、管体１の背部側と反対側に向けて照射される。この際、ＬＥＤ４を取り付けている基板３は、管体内の背部側に位置している放熱体２に保持されているために、ＬＥＤ４の放射角度が広がる。
ＬＥＤ４から発生される熱は、基板３から放熱体２に吸収され、吸収された熱は放熱体から管体１に伝えられ、そのまま管体外に放出され、また管体に伝えられた熱は口金５の放熱部５ａを通じて放熱され、発光ダイオードランプＬ１内の高熱化が抑制される。
【００１８】
管体１は、その材質の一つであるプラスチックとして、例えばポリカーボネートなどが使用される。管体１は、押出し成形法により加工する場合には、図示の例では予め乳白色のポリカーボネートペレット、蛍光塗料ペレット、拡散材ペレット及び変色防止材のそれぞれの配分比率を所定の値に設定しておく。これらの材質の配合比率を適宜変更することによって、発光ダイオードランプＬ１から照射される光の拡散、透視度及び光源からの照射率量の調整が図られる。そして、管体１の長さ、内径及び肉厚は適宜である。管体１がプラスチック製である場合には、ＬＥＤ４からの発熱の影響を受けて、クラックが生じすることがあるので、この不都合を防止するために、管体の加工段階でアニール処理を施しておくのが良い。
保持突部１ｂの突出長及び断面形状、また基板３の長さ及び横幅、さらに口金５の幅及び放熱溝５ａ１の数はいずれも適宜である。
【００１９】
図示する発光ダイオードランプＬ１の組み立て時に、管体１に対して放熱体２を保持突部１ｂ及び保持溝２ｄを通じて管体内に位置保持することができるから、発光ダイオードランプの組み立てが容易である。
また、ＬＥＤ付きの基板３を放熱体２の支持溝２ｂ内にスライド挿入するだけで、基板の取付け及びその位置保持をすることができるので、放熱体と基板３との組立作業が容易である。そして基板３を被掛け止め孔３ａと、支持体６の掛け止め体６ｂとを通じて保持するので、基板の保持作業が簡易となる。
放熱体２の外周面を円弧面として管体１の内周面１ａに密着可能とすることにより、放熱体の位置保持の安定化と熱を円滑かつ確実に管体側へ逃すことができる。放熱体の熱は管体１から口金５へ放熱されるが、上述したように口金の放熱部５ａにより放熱効果が高められる。また、放熱体２の外周面に放熱溝２ｅを設けているので、放熱体の放熱機能を高めることができる。
【００２０】
この発明に係る発光ダイオードランプの第２の実施形態について図１６〜図２６を参照して説明する。
図１６に示す発光ダイオードランプＬ２は、図１に示す発光ダイオードランプＬ１と、主要部分における基本構成及び作用効果が共通している。
以下、発光ダイオードランプＬ１に対して発光ダイオードランプＬ２が相違する点について主に説明し、共通する点については必要に応じて説明する。
【００２１】
第１の相違点は支持体における水平部及び掛け止め体の構成である。すなわち、図１６に示す発光ダイオードランプＬ２において、支持体１６の掛け止め体１６ｂは図２１〜図２４に示すように水平部１６ｃから開口側に向けて水平に突出されている。掛け止め体１６ｂの先端は支持体１６の開口より外方に突出され、その突出端にはフック１６ｂ１を形成してある。
掛け止め体１６ｂのフック１６ｂ１は、図１６に示すように基板１３の両端に開けてある被掛け止め孔１３ａに掛け止められている。
支持体１６の水平部１６ｃには図１６及び図１７に示すように前記案内板６ｃ１（図２）のような案内板を設けていない。
このように発光ダイオードランプＬ２の掛け止め体１６ｂはその基部の位置が支持体１６の底部側であり、突出方向が底部側から開口側であるのに対して、発光ダイオードランプＬ１の掛け止め体６ｂはその基部の位置が開口側であり、突出方向が開口側から底部側である。
図２３において、ピン孔１６ａ及び切込み１６ｄは、図１３に示す発光ダイオードランプＬ１のピン孔６ａ及び切込み６ｄにそれぞれ対応している。
【００２２】
第２の相違点は、口金から放出される熱を吸収する放熱手段である。すなわち、図１６に示す発光ダイオードランプＬ２において、口金１５の外周に口金用放熱体１８を取り付けてある。
図１６及び図２５に示す口金用放熱体１８は、リング状の本体１８ａと、この本体の上部に設けてある板状の取付け部１８ｂとから構成されており、その材質として放熱部材である例えばアルミニウム材が使用されている。
図１６及び図２６に示すように、本体１８ａは口金１５の外周に離脱可能に嵌め込んである。取付け部１８ｂは、適宜の固定手段（例えばねじ等）によってランプフレーム１９の下部１９ａの下面に固定されている。
図２６において、ランプフレーム１９の両側にソケット１９ｂを取り付けてあり、両ソケットの電極部（図示せず。）に発光ダイオードランプＬ２が端子ピン１７を介して電気的に接続されている。
発光ダイオードランプＬ２の点灯時では、ＬＥＤ１４から発生された熱は、一方において、基板１３から放熱体１２に吸収され、吸収された熱は放熱体から管体１１に伝えられ、そのまま管体外に放出され、他方において、上記管体に伝えられた熱は口金１５から口金用放熱体１８を通じてランプフレーム１９側に放熱されるので、発光ダイオードランプＬ２内の高熱化が抑制される。
【００２３】
図１６〜図１８において、発光ダイオードランプＬ２における管体１１の内周面１１ａ、保持突部１１ｂ、放熱体１２の本体１２ａ、支持溝１２ｂ、開口１２ｂ１、受け部１２ｃ、保持溝１２ｄ、放熱溝１２ｅ、ＬＥＤ１４及び段部１５ｂは、図１〜図１３に示す発光ダイオードランプＬ１における管体１の内周面１ａ、保持突部１ｂ放熱体２の本体２ａ、支持溝２ｂ、開口２ｂ１、受け部２ｃ、保持溝２ｄ、放熱溝２ｅＬＥＤ４及び段部５ｂにそれぞれ対応している。
【００２４】
この発明に係る発光ダイオードランプＬ２に使用する管体の他の形態について図２７〜図２９を参照して説明する。
図２７及び図２８に示す管体２１は、背部側（図上側）の内周面に接近している位置に保持手段として、対の保持突部２１ｂを互いに対向して設けてある。各保持突部２１ｂは、管体２１の長さ方向（図２９左右方向）に沿って全長に渡って設けられている。保持突部２１ｂは、図２８左右両側に配置されている側面Ｌ字形状に形成されている。各保持突部２１ｂの下部に設けてある受け部２１ｃは、管体２１の半径方向に向けて互いに対向するように突出されている。保持突部２１ｂの受け部２１ｃはそれぞれの先端部が互いに間隙を置いて突き合わされており、管体に全長に渡ってスリット状の開口が形成されている。
図２８及び図２９に示すように、放熱体２２（本体２２ａ）は、管体２１内の両保持突部２１ｂと管体の背部側（図２８上側）の内周面２１ａとによって囲まれた空間２１ｄに収納されている。放熱体２２は、その底部両側が両保持突部２１ｂの受け部２１ｃによって支えられ、全体として両保持突部によって抱かれるようにして保持されている。
図２８に示す放熱体２２において、第２の溝である放熱溝２２ｅの間に位置している第１の溝２２ｄは放熱溝として機能している。
【００２５】
図２８及び図２９において、放熱体２２、基板２３及びＬＥＤ２４は図１８及び図２０に示す放熱体１２、基板１３及びＬＥＤ１４にそれぞれ対応している。放熱体２２の支持溝２２ｂ、開口２２ｂ１、受け部２２ｃ、第１の溝２２ｄ及び放熱溝２２ｅは、図１８に示す放熱体１２の支持溝１２ｂ、開口１２ｂ１、受け部１２ｃ、保持溝１２ｄ及び放熱溝１２ｅにそれぞれ対応している。図２９に示す基板２３の被掛け止め孔２３ａは図２０に示す基板１３の被掛け止め孔１３ａに対応している。
【００２６】
図２８に示すように放熱体２２を管体２１に取り付けるには、ＬＥＤ２４を実装している基板２３を支持溝２３ｂ内に収納している状態で、放熱体を管体２１の一端部（図２７左端部）開口から保持突部２１ｂと管体の内周面２１ａとに囲まれている空間２１ｄ内に挿入し、他端に向けてスライドする。この操作によって、放熱体２２は、保持突部２１ｂの受け部２１ｃに支えられると同時に、放熱体の外周面は管体の内周面２１ａに強く接触されるから、この内周面によっても位置保持されることになる。
【００２７】
発光ダイオードランプＬ２において、放熱体１２を管体１１に位置保持する手段として、図１８に示す例では、管体の保持突部１１ｂと放熱体の保持溝１２ｄとにより保持する構成であり、図２８に示す例では管体２１の対の保持突部２１ｂにより放熱体２２を保持する構成である。
いずれの例でも、位置保持の対象となる放熱体１２及び放熱体２２は同一の部材を用いているが、必ずしも共通する部材を使用しなくても良い。
【００２８】
管体２１を発光ダイオードランプＬ１に適用する場合には、図２に示す支持体６の水平部６ｃの位置を保持突部２１ｂより低く設定するか、保持突部２１ｂの位置を水平部より高くして、双方が接触しないようにする必要がある。
【００２９】
管体１，１１，２１の材質及びその色彩は上例に限定されない。管体１，１１，２１に設けている保持突部１ｂ，１１ｂ，２１ｂに関して、これらの取付け基部（管体との接続部分）の位置は図示の例に限られないが、図２、図１７及び図２８に示すように管体の背部側に配置して、ＬＥＤ４，１４，２４の点灯時に取付け基部が管体の外側から、特に正面側から影として見えにくくしている。
放熱体２，１２，２２の外面を円弧面にして、図２、図１８及び図２８に示すように管体１，１１，２１の内周面に密着するのが放熱を円滑にするために良いが、もちろん、必ずしも密着することを要しない。また、放熱溝２ｅ，１２ｅ，２２ｄ，２２ｅは、放熱体２，１２，２２に必要に応じて設けられるものであり、また放熱溝の数や断面形状は図示の例に限定されない。
ＬＥＤ４，１４，２４は、各図示の例によれば、形状及び大きさがいずれも同一のものを用いているが、これらの例に限定されない。
口金に関して、図１に示す口金５に代えて、図１６に示す口金用放熱体１８を取り付けることができる口金１５を使用しても良く、また図１６に示す口金１５に代えて図１に示す口金５を使用しても良い。
また、図１に示す放熱部５ａは、図示の例では口金５の外周全周に形成している放熱溝５ａ１で構成されているが、例えば連続することなく、適宜間隔を置いて形成している溝であっても良く、また凹部であっても良い。
支持体６，１６の形状は図示するようにキャップ状に限られない。
【符号の説明】
【００３０】
Ｌ１，Ｌ２                    発光ダイオードランプ
１，１１，２１                管体
１ａ，１１ａ，２１ａ          内周面
１ｂ，１１ｂ，２１ｂ          保持突部（保持手段）
２，１２，２２                放熱体
２ａ，１２ａ，２２ａ          放熱体の本体
２ｂ，１２ｂ，２２ｂ          支持溝
２ｄ，１２ｄ                  保持溝（保持手段）
２１ｄ                        空間
３，１３，２３                基板
３ａ，１３ａ，２３ａ          被掛け止め孔（被掛け止め部）
４，１４，２４                ＬＥＤ
５，１５，２５                口金
５ａ                          放熱部
５ａ１                        放熱溝
６，１６                      支持体
６ｂ，１６ｂ                  掛け止め体（掛け止め部）
６ｂ１，１６ｂ１              フック
６ｃ                          水平部
６ｃ１                        案内板
１８                          口金用放熱体
１８ａ                        本体
１８ｂ                        取付け部
【図１】
0005389589.tif 000002
【図２】
0005389589.tif 000003
【図３】
0005389589.tif 000004
【図４】
0005389589.tif 000005
【図５】
0005389589.tif 000006
【図６】
0005389589.tif 000007
【図７】
0005389589.tif 000008
【図８】
0005389589.tif 000009
【図９】
0005389589.tif 000010
【図１０】
0005389589.tif 000011
【図１１】
0005389589.tif 000012
【図１２】
0005389589.tif 000013
【図１３】
0005389589.tif 000014
【図１４】
0005389589.tif 000015
【図１５】
0005389589.tif 000016
【図１６】
0005389589.tif 000017
【図１７】
0005389589.tif 000018
【図１８】
0005389589.tif 000019
【図１９】
0005389589.tif 000020
【図２０】
0005389589.tif 000021
【図２１】
0005389589.tif 000022
【図２２】
0005389589.tif 000023
【図２３】
0005389589.tif 000024
【図２４】
0005389589.tif 000025
【図２５】
0005389589.tif 000026
【図２６】
0005389589.tif 000027
【図２７】
0005389589.tif 000028
【図２８】
0005389589.tif 000029
【図２９】
0005389589.tif 000030